【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
第１の透過層を有する第１の光ディスクに対応した第１の波長の光ビームを出射する第１の出射部と、
上記第１の光ディスクとは異なり上記第１の透過層の厚さより厚い第２の透過層を有する種類の第２の光ディスクに対応した上記第１の波長より長い第２の波長の光ビームを出射する第２の出射部と、
上記第１及び第２の光ディスクとは異なり上記第２の透過層の厚さより厚い第３の透過層を有する種類の第３の光ディスクに対応した上記第２の波長より長い第３の波長の光ビームを出射する第３の出射部と、
上記第１乃至第３の出射部から出射された光ビームを光ディスクの信号記録面上に集光する対物レンズと、
上記第１乃至第３の波長の光ビームの光路上に配置される光学素子又は上記対物レンズの一方の面に設けられる回折部とを備え、
上記回折部は、最内周部に設けられ略円形状の第１の回折領域と、上記第１の回折領域の外側に設けられ輪帯状の第２の回折領域と、上記第２の回折領域の外側に設けられ輪帯状の第３の領域とを有し、
上記第１の回折領域は、輪帯状で且つ所定の深さを有する第１の回折構造が形成され、通過する上記第１の波長λ１の光ビームの上記対物レンズを介して第１の光ディスクの信号記録面に集光する回折光に対して与える回折パワーをfdif1i、通過する上記第２の波長λ２の光ビームの上記対物レンズを介して第２の光ディスクの信号記録面に集光する回折光に対して与える回折パワーをfdif2i、通過する上記第３の波長λ３の光ビームの上記対物レンズを介して第３の光ディスクの信号記録面に集光する回折光に対して与える回折パワーをfdif3iとしたとき、
１／（ｆdif1i×λ１）≧１／（ｆdif2i×λ２）＞１／（ｆdif3i×λ３）を満たし、
上記第２の回折領域は、輪帯状で且つ所定の深さを有し上記第１の回折構造とは異なる構造の第２の回折構造が形成され、通過する上記第１の波長の光ビームの上記対物レンズを介して第１の光ディスクの信号記録面に集光する次数の回折光を発生させ、通過する上記第２の波長の光ビームの上記対物レンズを介して第２の光ディスクの信号記録面に集光する次数の回折光を発生させるとともに、通過する上記第３の波長の光ビームの上記対物レンズを介して第３の光ディスクの信号記録面に集光する次数以外の次数の回折光が支配的となるように発生させ、
上記第３の領域は、通過する上記第１の波長の光ビームを上記対物レンズを介して第１の光ディスクの信号記録面に集光させるとともに、通過する上記第２の波長の光ビームを上記対物レンズを介して第２の光ディスクの信号記録面に集光させない状態とし、通過する上記第３の波長の光ビームを上記対物レンズを介して第３の光ディスクの信号記録面に集光させない状態とする光ピックアップ。
【請求項２】
上記第１の回折領域は、通過する上記第１の波長の光ビームの当該対物レンズを介して第１の光ディスクの信号記録面に集光する次数がｋ１ｉの回折光が他の次数の回折光に対して最大の回折効率となるように発生させ、通過する上記第２の波長の光ビームの当該対物レンズを介して第２の光ディスクの信号記録面に集光する次数がｋ２ｉの回折光が他の次数の回折光に対して最大の回折効率となるように発生させ、通過する上記第３の波長の光ビームの当該対物レンズを介して第３の光ディスクの信号記録面に集光する次数がｋ３ｉの回折光が他の次数の回折光に対して最大の回折効率となるように発生させ、
入射した光ビームに対して、光軸方向に向かって回折する次数を正の次数としたときに、ｋ１ｉ≧ｋ２ｉ＞ｋ３ｉの関係を有するように回折光を発生させる請求項１記載の光ピックアップ。
【請求項３】
上記第１の透過層の厚さが０．１ｍｍ程度であり、
上記第２の透過層の厚さが０．６ｍｍ程度であり、
上記第３の透過層の厚さが１．１ｍｍ程度であり、
上記第１の波長が、４０５ｎｍ程度であり、
上記第２の波長が、６５５ｎｍ程度であり、
上記第３の波長が、７８５ｎｍ程度であり、
上記ｋ１ｉ，ｋ３ｉがそれぞれ、（−２，−３）、（−１，−２）、（−１，−３）、（０，−２）、（０，−３）、（１，−２）、（１，−３）、（２，−１）、（２，−２）、（２，−３）、（３，０）、（３，−１）、（３，−２）、又は（３，−３）である請求項２記載の光ピックアップ。
【請求項４】
上記第１の回折領域は、複数の段部を有する階段構造が輪帯の半径方向に連続的に形成された階段形状の回折構造が形成され、
上記第２の回折領域は、複数の段部を有する階段構造が輪帯の半径方向に連続的に形成された階段形状又はブレーズ形状の回折構造が形成されている請求項２記載の光ピックアップ。
【請求項５】
上記第１の回折領域は、非周期構造が輪帯の半径方向に形成された非周期形状の回折構造が形成され、
上記第２の回折領域は、非周期構造が輪帯の半径方向に形成された非周期形状又はブレーズ形状の回折構造が形成されている請求項２記載の光ピックアップ。
【請求項６】
上記第１の透過層の厚さが０．１ｍｍ程度であり、
上記第２の透過層の厚さが０．６ｍｍ程度であり、
上記第３の透過層の厚さが１．１ｍｍ程度であり、
上記第１の波長が、４０５ｎｍ程度であり、
上記第２の波長が、６５５ｎｍ程度であり、
上記第３の波長が、７８５ｎｍ程度であり、
上記ｋ１ｉ，ｋ２ｉ，ｋ３ｉがそれぞれ、（１，−１，−２）、又は、（１，−２，−３）である請求項２記載の光ピックアップ。
【請求項７】
上記第２の回折領域は、複数の段部を有する階段構造が輪帯の半径方向に連続的に形成された階段形状、又は非周期構造が輪帯の半径方向に形成された非周期形状の回折構造が形成され、
上記第２の回折領域は、通過する上記第１の波長の光ビームの上記対物レンズを介して第１の光ディスクの信号記録面に集光する次数がｋ１ｍの回折光が他の次数の回折光に対して最大の回折効率となるように発生させ、通過する上記第２の波長の光ビームの上記対物レンズを介して第２の光ディスクの信号記録面に集光する次数がｋ２ｍの回折光が他の次数の回折光に対して最大の回折効率となるように発生させ、
上記ｋ１ｍ，ｋ２ｍがそれぞれ、（＋１，＋１）、（−１，−１）、（０，＋２）、（０，−２）、（０，＋１）、（０，−１）、（＋１，０）、（−１，０）、（＋１，−１）又は（−１，＋１）である請求項６記載の光ピックアップ。
【請求項８】
上記第２の回折領域は、ブレーズ形状の回折構造が形成され、
上記第２の回折領域は、通過する上記第１の波長の光ビームの上記対物レンズを介して第１の光ディスクの信号記録面に集光する次数がｋ１ｍの回折光が他の次数の回折光に対して最大の回折効率となるように発生させ、通過する上記第２の波長の光ビームの上記対物レンズを介して第２の光ディスクの信号記録面に集光する次数がｋ２ｍの回折光が他の次数の回折光に対して最大の回折効率となるように発生させ、
上記ｋ１ｍ，ｋ２ｍがそれぞれ、（＋３，＋２）、（−３，−２）、（＋２，＋１）、（−２，−１）、（＋１，＋１）又は（−１，−１）である請求項６記載の光ピックアップ。
【請求項９】
上記対物レンズ又は上記回折部が設けられた光学素子のうち第１乃至第３の出射部に近接する側に配置される側の素子の入射側の面に入射する際の、第１の波長の光ビームが略平行光とされ、第２及び第３の波長の光ビームが拡散光とされて入射される請求項２記載の光ピックアップ。
【請求項１０】
第１の透過層を有する第１の光ディスクに対応した第１の波長の光ビームを出射する第１の出射部と、
上記第１の光ディスクとは異なり上記第１の透過層の厚さより厚い第２の透過層を有する種類の第２の光ディスクに対応した上記第１の波長より長い第２の波長の光ビームを出射する第２の出射部と、
上記第１及び第２の光ディスクとは異なり上記第２の透過層の厚さより厚い第３の透過層を有する種類の第３の光ディスクに対応した上記第２の波長より長い第３の波長の光ビームを出射する第３の出射部と、
上記第１乃至第３の出射部から出射された光ビームを光ディスクの信号記録面上に集光する対物レンズと、
上記第１乃至第３の波長の光ビームの光路上に配置される光学素子又は上記対物レンズの一方の面に設けられる回折部とを備え、
上記回折部は、最内周部に設けられ略円形状の第１の回折領域と、上記第１の回折領域の外側に設けられ輪帯状の第２の回折領域と、上記第２の回折領域の外側に設けられ輪帯状の第３の領域とを有し、
上記第１の回折領域は、輪帯状で且つ所定の深さを有する第１の回折構造が形成され、通過する上記第１の波長λ１の光ビームの上記対物レンズを介して第１の光ディスクの信号記録面に集光する回折光に対して与える回折パワーをfdif1i、通過する上記第２の波長λ２の光ビームの上記対物レンズを介して第２の光ディスクの信号記録面に集光する回折光に対して与える回折パワーをfdif2i、通過する上記第３の波長λ３の光ビームの上記対物レンズを介して第３の光ディスクの信号記録面に集光する回折光に対して与える回折パワーをfdif3iとしたとき、
１／（ｆdif1i×λ１）≧１／（ｆdif2i×λ２）＞１／（ｆdif3i×λ３）を満たし、
上記第２の回折領域は、輪帯状で且つ所定の深さを有し上記第１の回折構造とは異なる構造の第２の回折構造が形成され、通過する上記第１の波長の光ビームの上記対物レンズを介して第１の光ディスクの信号記録面に集光する次数の回折光を発生させ、通過する上記第２の波長の光ビームの上記対物レンズを介して第２の光ディスクの信号記録面に集光する次数の回折光を発生させるとともに、通過する上記第３の波長の光ビームの上記対物レンズを介して第３の光ディスクの信号記録面に集光する次数以外の次数の回折光が支配的となるように発生させ、
上記第３の領域は、通過する上記第１の波長の光ビームを上記対物レンズを介して第１の光ディスクの信号記録面に集光させるとともに、通過する上記第２の波長の光ビームを上記対物レンズを介して第２の光ディスクの信号記録面に集光させない状態とし、通過する上記第３の波長の光ビームを上記対物レンズを介して第３の光ディスクの信号記録面に集光させない状態とする光ディスク装置。
【請求項１１】
少なくとも、第１の透過層を有する第１の光ディスクと、上記第１の光ディスクとは異なり上記第１の透過層の厚さより厚い第２の透過層を有する種類の第２の光ディスクと、上記第１及び第２の光ディスクとは異なり上記第２の透過層の厚さより厚い第３の透過層を有する種類の第３の光ディスクとに対して光ビームを照射して情報信号の記録及び／又は再生を行う光ピックアップに用いられ、上記第１の光ディスクに対応した第１の波長の光ビームと、上記第２の光ディスクに対応した上記第１の波長より長い第２の波長の光ビームと、上記第３の光ディスクに対応した上記第２の波長より長い第３の波長の光ビームとを対応する光ディスクの信号記録面上に集光する対物レンズにおいて、
入射側の面又は出射側の面に設けられる回折部を備え、
上記回折部は、最内周部に設けられ略円形状の第１の回折領域と、上記第１の回折領域の外側に設けられ輪帯状の第２の回折領域と、上記第２の回折領域の外側に設けられ輪帯状の第３の領域とを有し、
上記第１の回折領域は、輪帯状で且つ所定の深さを有する第１の回折構造が形成され、通過する上記第１の波長λ１の光ビームの上記対物レンズを介して第１の光ディスクの信号記録面に集光する回折光に対して与える回折パワーをfdif1i、通過する上記第２の波長λ２の光ビームの上記対物レンズを介して第２の光ディスクの信号記録面に集光する回折光に対して与える回折パワーをfdif2i、通過する上記第３の波長λ３の光ビームの上記対物レンズを介して第３の光ディスクの信号記録面に集光する回折光に対して与える回折パワーをfdif3iとしたとき、
１／（ｆdif1i×λ１）≧１／（ｆdif2i×λ２）＞１／（ｆdif3i×λ３）を満たし、
上記第２の回折領域は、輪帯状で且つ所定の深さを有し上記第１の回折構造とは異なる構造の第２の回折構造が形成され、通過する上記第１の波長の光ビームの当該対物レンズを介して第１の光ディスクの信号記録面に集光する次数の回折光を発生させ、通過する上記第２の波長の光ビームの当該対物レンズを介して第２の光ディスクの信号記録面に集光する次数の回折光を発生させるとともに、通過する上記第３の波長の光ビームの当該対物レンズを介して第３の光ディスクの信号記録面に集光する次数以外の次数の回折光が支配的となるように発生させ、
上記第３の領域は、通過する上記第１の波長の光ビームを上記対物レンズを介して第１の光ディスクの信号記録面に集光させるとともに、通過する上記第２の波長の光ビームを上記対物レンズを介して第２の光ディスクの信号記録面に集光させない状態とし、通過する上記第３の波長の光ビームを上記対物レンズを介して第３の光ディスクの信号記録面に集光させない状態とする対物レンズ。
【請求項１２】
上記第１の回折領域は、通過する上記第１の波長の光ビームの当該対物レンズを介して第１の光ディスクの信号記録面に集光する次数がｋ１ｉの回折光が他の次数の回折光に対して最大の回折効率となるように発生させ、通過する上記第２の波長の光ビームの当該対物レンズを介して第２の光ディスクの信号記録面に集光する次数がｋ２ｉの回折光が他の次数の回折光に対して最大の回折効率となるように発生させ、通過する上記第３の波長の光ビームの当該対物レンズを介して第３の光ディスクの信号記録面に集光する次数がｋ３ｉの回折光が他の次数の回折光に対して最大の回折効率となるように発生させ、入射した光ビームに対して、光軸方向に向かって回折する次数を正の次数としたときに、ｋ１ｉ≧ｋ２ｉ＞ｋ３ｉの関係を有するように回折光を発生させる請求項１１記載の対物レンズ。
【請求項１３】
上記第１の透過層の厚さが０．１ｍｍ程度であり、
上記第２の透過層の厚さが０．６ｍｍ程度であり、
上記第３の透過層の厚さが１．１ｍｍ程度であり、
上記第１の波長が、４０５ｎｍ程度であり、
上記第２の波長が、６５５ｎｍ程度であり、
上記第３の波長が、７８５ｎｍ程度であり、
上記ｋ１ｉ，ｋ３ｉがそれぞれ、（−２，−３）、（−１，−２）、（−１，−３）、（０，−２）、（０，−３）、（１，−２）、（１，−３）、（２，−１）、（２，−２）、（２，−３）、（３，０）、（３，−１）、（３，−２）、又は（３，−３）である請求項１２記載の対物レンズ。
【請求項１４】
上記第１の回折領域は、複数の段部を有する階段構造が輪帯の半径方向に連続的に形成された階段形状の回折構造が形成され、
上記第２の回折領域は、複数の段部を有する階段構造が輪帯の半径方向に連続的に形成された階段形状又はブレーズ形状の回折構造が形成されている請求項１２記載の対物レンズ。
【請求項１５】
上記第１の回折領域は、非周期構造が輪帯の半径方向に形成された非周期形状の回折構造が形成され、
上記第２の回折領域は、非周期構造が輪帯の半径方向に形成された非周期形状又はブレーズ形状の回折構造が形成されている請求項１２記載の対物レンズ。
【請求項１６】
上記第１の透過層の厚さが０．１ｍｍ程度であり、
上記第２の透過層の厚さが０．６ｍｍ程度であり、
上記第３の透過層の厚さが１．１ｍｍ程度であり、
上記第１の波長が、４０５ｎｍ程度であり、
上記第２の波長が、６５５ｎｍ程度であり、
上記第３の波長が、７８５ｎｍ程度であり、
上記ｋ１ｉ，ｋ２ｉ，ｋ３ｉがそれぞれ、（１，−１，−２）、又は（１，−２，−３）である請求項１２記載の対物レンズ。
【請求項１７】
上記第２の回折領域は、複数の段部を有する階段構造が輪帯の半径方向に連続的に形成された階段形状、又は非周期構造が輪帯の半径方向に形成された非周期形状の回折構造が形成され、
上記第２の回折領域は、通過する上記第１の波長の光ビームの上記対物レンズを介して第１の光ディスクの信号記録面に集光する次数がｋ１ｍの回折光が他の次数の回折光に対して最大の回折効率となるように発生させ、通過する上記第２の波長の光ビームの上記対物レンズを介して第２の光ディスクの信号記録面に集光する次数がｋ２ｍの回折光が他の次数の回折光に対して最大の回折効率となるように発生させ、
上記ｋ１ｍ，ｋ２ｍがそれぞれ、（＋１，＋１）、（−１，−１）、（０，＋２）、（０，−２）、（０，＋１）、（０，−１）、（＋１，０）、（−１，０）、（＋１，−１）又は（−１，＋１）である請求項１６記載の対物レンズ。
【請求項１８】
上記第２の回折領域は、ブレーズ形状の回折構造が形成され、
上記第２の回折領域は、通過する上記第１の波長の光ビームの上記対物レンズを介して第１の光ディスクの信号記録面に集光する次数がｋ１ｍの回折光が他の次数の回折光に対して最大の回折効率となるように発生させ、通過する上記第２の波長の光ビームの上記対物レンズを介して第２の光ディスクの信号記録面に集光する次数がｋ２ｍの回折光が他の次数の回折光に対して最大の回折効率となるように発生させ、
上記ｋ１ｍ，ｋ２ｍがそれぞれ、（＋３，＋２）、（−３，−２）、（＋２，＋１）、（−２，−１）、（＋１，＋１）又は（−１，−１）である請求項１６記載の対物レンズ。
【請求項１９】
上記対物レンズ又は上記回折部が設けられた光学素子のうち第１乃至第３の出射部に近接する側に配置される側の素子の入射側の面に入射する際の、第１の波長の光ビームが略平行光とされ、第２及び第３の波長の光ビームが拡散光とされて入射される請求項１２記載の対物レンズ。
【手続補正２】
【補正対象書類名】明細書
【補正対象項目名】００１６
【補正方法】変更
【補正の内容】
【００１６】
この目的を達成するため、本発明に係る対物レンズは、少なくとも、第１の透過層を有する第１の光ディスクと、上記第１の光ディスクとは異なり上記第１の透過層の厚さより厚い第２の透過層を有する種類の第２の光ディスクと、上記第１及び第２の光ディスクとは異なり上記第２の透過層の厚さより厚い第３の透過層を有する種類の第３の光ディスクとに対して光ビームを照射して情報信号の記録及び／又は再生を行う光ピックアップに用いられ、上記第１の光ディスクに対応した第１の波長の光ビームと、上記第２の光ディスクに対応した上記第１の波長より長い第２の波長の光ビームと、上記第３の光ディスクに対応した上記第２の波長より長い第３の波長の光ビームとを対応する光ディスクの信号記録面上に集光する対物レンズにおいて、入射側の面又は出射側の面に設けられる回折部を備え、上記回折部は、最内周部に設けられ略円形状の第１の回折領域と、上記第１の回折領域の外側に設けられ輪帯状の第２の回折領域と、上記第２の回折領域の外側に設けられ輪帯状の第３の領域とを有し、上記第１の回折領域は、輪帯状で且つ所定の深さを有する第１の回折構造が形成され、通過する上記第１の波長λ１の光ビームの上記対物レンズを介して第１の光ディスクの信号記録面に集光する回折光に対して与える回折パワーをfdif1i、通過する上記第２の波長λ２の光ビームの上記対物レンズを介して第２の光ディスクの信号記録面に集光する回折光に対して与える回折パワーをfdif2i、通過する上記第３の波長λ３の光ビームの上記対物レンズを介して第３の光ディスクの信号記録面に集光する回折光に対して与える回折パワーをfdif3iとしたとき、１／（ｆdif1i×λ１）≧１／（ｆdif2i×λ２）＞１／（ｆdif3i×λ３）を満たし、上記第２の回折領域は、輪帯状で且つ所定の深さを有し上記第１の回折構造とは異なる構造の第２の回折構造が形成され、通過する上記第１の波長の光ビームの当該対物レンズを介して第１の光ディスクの信号記録面に集光する次数の回折光を発生させ、通過する上記第２の波長の光ビームの当該対物レンズを介して第２の光ディスクの信号記録面に集光する次数の回折光を発生させるとともに、通過する上記第３の波長の光ビームの当該対物レンズを介して第３の光ディスクの信号記録面に集光する次数以外の次数の回折光が支配的となるように発生させ、上記第３の回折領域は、通過する上記第１の波長の光ビームを上記対物レンズを介して第１の光ディスクの信号記録面に集光させるとともに、通過する上記第２の波長の光ビームを上記対物レンズを介して第２の光ディスクの信号記録面に集光させない状態とし、通過する上記第３の波長の光ビームを上記対物レンズを介して第３の光ディスクの信号記録面に集光させない状態とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
また、本発明に係る光ピックアップは、第１の透過層を有する第１の光ディスクに対応した第１の波長の光ビームを出射する第１の出射部と、上記第１の光ディスクとは異なり上記第１の透過層の厚さより厚い第２の透過層を有する種類の第２の光ディスクに対応した上記第１の波長より長い第２の波長の光ビームを出射する第２の出射部と、上記第１及び第２の光ディスクとは異なり上記第２の透過層の厚さより厚い第３の透過層を有する種類の第３の光ディスクに対応した上記第２の波長より長い第３の波長の光ビームを出射する第３の出射部と、上記第１乃至第３の出射部から出射された光ビームを光ディスクの信号記録面上に集光する対物レンズと、上記第１乃至第３の波長の光ビームの光路上に配置される光学素子又は上記対物レンズの一方の面に設けられる回折部とを備え、上記回折部は、最内周部に設けられ略円形状の第１の回折領域と、上記第１の回折領域の外側に設けられ輪帯状の第２の回折領域と、上記第２の回折領域の外側に設けられ輪帯状の第３の領域とを有し、上記第１の回折領域は、輪帯状で且つ所定の深さを有する第１の回折構造が形成され、通過する上記第１の波長λ１の光ビームの上記対物レンズを介して第１の光ディスクの信号記録面に集光する回折光に対して与える回折パワーをfdif1i、通過する上記第２の波長λ２の光ビームの上記対物レンズを介して第２の光ディスクの信号記録面に集光する回折光に対して与える回折パワーをfdif2i、通過する上記第３の波長λ３の光ビームの上記対物レンズを介して第３の光ディスクの信号記録面に集光する回折光に対して与える回折パワーをfdif3iとしたとき、１／（ｆdif1i×λ１）≧１／（ｆdif2i×λ２）＞１／（ｆdif3i×λ３）を満たし、上記第２の回折領域は、輪帯状で且つ所定の深さを有し上記第１の回折構造とは異なる構造の第２の回折構造が形成され、通過する上記第１の波長の光ビームの上記対物レンズを介して第１の光ディスクの信号記録面に集光する次数の回折光を発生させ、通過する上記第２の波長の光ビームの上記対物レンズを介して第２の光ディスクの信号記録面に集光する次数の回折光を発生させるとともに、通過する上記第３の波長の光ビームの上記対物レンズを介して第３の光ディスクの信号記録面に集光する次数以外の次数の回折光が支配的となるように発生させ、上記第３の領域は、通過する上記第１の波長の光ビームを上記対物レンズを介して第１の光ディスクの信号記録面に集光させるとともに、通過する上記第２の波長の光ビームを上記対物レンズを介して第２の光ディスクの信号記録面に集光させない状態とし、通過する上記第３の波長の光ビームを上記対物レンズを介して第３の光ディスクの信号記録面に集光させない状態とする。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
また、本発明に係る光ディスク装置は、少なくとも、第１の透過層を有する第１の光ディスクと、上記第１の光ディスクとは異なり上記第１の透過層の厚さより厚い第２の透過層を有する第２の光ディスクと、上記第１及び第２の光ディスクとは異なり上記第２の透過層の厚さより厚い第３の透過層を有する第３の光ディスクとから任意に選択される光ディスクを保持して回転駆動する駆動手段と、上記駆動手段によって回転駆動される光ディスクに対し波長を異にする複数の光ビームを選択的に照射することにより情報信号の記録及び／又は再生を行う光ピックアップとを有する光ディスク装置であり、この光ディスク装置に用いる光ピックアップとして、上述したようなものを用いたものである。
【手続補正７】
【補正対象書類名】明細書
【補正対象項目名】００２１
【補正方法】変更
【補正の内容】
【００２１】
本発明は、光ビームを出射する出射部と光ディスクの信号記録面との間の光路上に配置される光学素子の一面に設けられた回折部により、それぞれ使用波長を異にする３種類の光ディスクに対して、共通の一の対物レンズを用いてそれぞれ対応する光ビームを信号記録面に適切に集光することを可能として、構成を複雑にすることなく、対物レンズを共通とした３波長互換を実現してそれぞれの光ディスクに対して良好な信号の記録及び／又は再生を実現する。
【手続補正８】
【補正対象書類名】明細書
【補正対象項目名】００６４
【補正方法】変更
【補正の内容】
【００６４】
第１の回折領域５１は、回折効率が最大となる各波長の回折次数ｋ１ｉ、ｋ２ｉ、ｋ３ｉの関係がｋ１ｉとｋ２ｉとが異符号で、ｋ２ｉとｋ３ｉとが同符号となるように構成されていることにより、複数種類の光ディスクに対して各波長の光ビームについて同一の対物レンズ３４により集光する場合において、球面収差をより低減させることを可能とする。これは、上述のような第１乃至第３の光ディスクに対して対物レンズ３４を設計する場合に、保護層の設計センターを０．１ｍｍ〜０．６ｍｍに設定することが多いため、その設計センターに対して第１の波長の光ビームに与える球面収差極性と、第２及び第３の波長の光ビームに与える球面収差極性とが逆になるようにすることで球面収差を抑えることができるという考え方によるものである。
【手続補正９】
【補正対象書類名】明細書
【補正対象項目名】０３２６
【補正方法】変更
【補正の内容】
【０３２６】
【数１】
2010170694.tif 000001
【手続補正１０】
【補正対象書類名】明細書
【補正対象項目名】０３２９
【補正方法】変更
【補正の内容】
【０３２９】
このような式（３）及び式（４）に基づいて、ｋ１及びｋ３を変化させたときの、焦点距離ｆ３の値の変化を図４３に示す。図４３中横軸は、次数ｋ３を示し、縦軸は、第３の波長λ３に対する焦点距離ｆ３を示し、曲線ＬＭ３，ＬＭ２，ＬＭ１，ＬＰ０，ＬＰ１，ＬＰ２，ＬＰ３は、それぞれ次数ｋ１ｉが−３次、−２次、−１次、０次、１次、２次、３次であった場合のｋ３ｉの変化に伴う焦点距離ｆ３の変化をプロットしたものを結んだ曲線を示すものである。尚、図４３は、係数Ｃ１が絶対値最大の−１×１０−２であるものとし、また、第１の波長λ１の式（４）により算出される全体の焦点距離ｆａｌｌを示すｆａｌｌ１が、ｆａｌｌ１＝２．２（ｍｍ）であるものとして算出されたものである。そして、上述で説明した事項における回折次数であるが、実際には内輪帯の部分にしか幾何光学を適用できず、また、焦点距離等の特性は内輪帯の部分で決まるため、上述したｋ１〜ｋ３は、ｋ１ｉ〜ｋ３ｉと対応しており、換言すると、上述したｋ１〜ｋ３の関係は、それぞれｋ１ｉ〜ｋ３ｉに置き換えた関係を有していることとなる。そして、図４３より、ｆ３を２．５ｍｍ以上とするためには、次式（５Ａ）の関係が成立することとなる。よって、上述した式（２Ｂ）の関係から、次式（５Ｂ）の関係を有することが、適切な焦点距離と作動距離を確保する上で必要となる。
ｋ１ｉ＞ｋ３ｉ  ・・・（５Ａ）
ｋ１ｉ≧ｋ２ｉ＞ｋ３ｉ  ・・・（５Ｂ）
さらに、この式（５Ｂ）と後述の用いる回折次数は３次程度以下であるという観点から、ｋ１ｉ，ｋ３ｉがそれぞれ、（ｋ１ｉ，ｋ３ｉ）＝（−２，−３）、（−１，−２）、（−１，−３）、（０，−２）、（０，−３）、（１，−２）、（１，−３）、（２，−１）、（２，−２）、（２，−３）、（３，０）、（３，−１）、（３，−２）、（３，−３）の組み合わせが上述の観点から適した組み合わせであるといえる。この際，ｋ２ｉは、式（５Ｂ）を満足するように決定されたものが用いられる。尚、厳密には、ｆ１の値と材料分散とによって、図４３の関係が変化し、さらにｆ１を低下させたり対物レンズへの入射倍率を発散光にしたりすることにより、ｆ３の目標値が低下するものの、回折次数の選択肢は、上述したものが適している。